(57)【特許請求の範囲】
【請求項１】
記憶媒体に記憶されるデータを個別に識別する個別データ識別情報をメモリに取り込み、一定使用パート数以内に編集する記憶媒体のグループタイトル編集方法において、
前記個別データ識別情報をタイトルデータエリアのディスクトラックタイトルデータを含む第１の個別データ識別情報およびグループデータエリアのグループタイトルデータを含む第２の個別データ識別情報に分けて前記メモリに取り込むステップと、
前記第１の個別データ識別情報および前記第２の個別データ識別情報の全使用パート数が前記一定使用パート数を超えるか否か判断するステップと、
前記全使用パート数が前記一定使用パート数を超えるとき、前記第２の個別データ識別情報をユーザにより予め設定された優先順位に基づいて低優先順位の情報から削除して前記全使用パート数を前記一定使用パート数以下に収めるステップと、
を備えることを特徴とする記憶媒体のグループタイトル編集方法。
【請求項２】
前記第２の個別データ識別情報の優先順位は、グループタイトルおよび該グループタイトル以外の情報に分けて設定されることを特徴とする請求項１に記載の記憶媒体のグループタイトル編集方法。
【請求項３】
前記第２の個別データ識別情報の優先順位は、グループタイトル、該グループタイトル以外の情報および前記記憶媒体のトラック番号の大小に基づき設定されることを特徴とする請求項１に記載の記憶媒体のグループタイトル編集方法。
【請求項４】
前記記憶媒体はＭＤであり、前記個別データ識別情報はＵＴＯＣデータであることを特徴とする請求項１、２又は３に記載の記録媒体のグループタイトル編集方法。
【発明の詳細な説明】
【０００１】
【発明の属する技術分野】
本発明は記憶媒体のグループタイトル編集方法に関し、例えばＭＤシステムのグループタイトル編集方法に適用できる記憶媒体のグループタイトル編集方法に関する。
【０００２】
【従来の技術】
ＭＤは、光磁気効果を使用するディスクであって、再生専用のＣＤ（Compact Disc）とは異なり、音楽等の音声情報の記録および再生を可能にする。最近のディジタルオーディオ機器又はシステムにあっては、ＣＤのみならずＭＤの再生又は録音再生部を備えている。そして、ユーザは、ＣＤに録音されている音楽等を再生してＭＤに録音したり、他のソース、例えばＦＭラジオ等の放送信号をデジタル変換してＭＤに録音し、後で再生を可能にする。
【０００３】
上述の如く、ユーザは、ＭＤに各種ソースからの多数の音楽情報を録音するのが普通である。このように各種ソースから取り込んだ（録音した）多数の音楽情報が録音されたＭＤをユーザが再生するには、そのＭＤ内にどのような音楽情報が録音されているか、各音楽情報の再生に先立ってそのタイトルを表示部に表示する。また、最近、のＭＤでは、「グループタイトル」が提案され、録音情報のタイトルを個別に表示するのではなく、１以上の音楽情報を含んでいるグループタイトルとして管理され、グループ単位での再生（繰り返し）や編集（結合、分割、移動および消去等）を可能にしている。これにより、ユーザは、ＭＤの簡単且つ迅速な編集等を可能にする。尚、最近ＭＰＬＰ４（ＡＴＲＡＣ圧縮を更に４倍に高圧縮）が出現し、ＭＤ１枚に数枚のアルバムが格納可能になり、「グループタイトル」の意義が更に増している。
【０００４】
【発明が解決しようとする課題】
しかし、従来のＭＤシステムにあっては、ディスクトラックタイトルデータおよびグループデータ（グループ分けデータおよびグループ名データ）のパート数が一定パート数、例えば２５６パート（１パート＝７バイト）である。全使用パート数が、後の追加トラック又は編集により一定パート数を超えてしまう場合があるという課題があった。
【０００５】
上述の従来の技術および課題は、ＭＤシステムに限らず、他の任意の記憶媒体を使用した同様なシステムについても同じである。
【０００６】
【発明の目的】
本発明は、従来技術の上述した課題に鑑みなされたものであり、斯かる課題を解消又は軽減する記憶媒体のグループタイトル編集方法を提供することを目的とする。
【０００７】
【課題を解決するための手段】
前述の課題を解決するため、本発明による記憶媒体のグループタイトル編集方法は、次のような特徴的な構成を採用している。
【０００８】
（１）記憶媒体に記憶されるデータを個別に識別する個別データ識別情報をメモリに取り込み、一定使用パート数以内に編集する記憶媒体のグループタイトル編集方法において、
前記個別データ識別情報をタイトルデータエリアのディスクトラックタイトルデータを含む第１の個別データ識別情報およびグループデータエリアのグループタイトルデータを含む第２の個別データ識別情報に分けて前記メモリに取り込むステップと、
前記第１の個別データ識別情報および前記第２の個別データ識別情報の全使用パート数が前記一定使用パート数を超えるか否か判断するステップと、
前記全使用パート数が前記一定使用パート数を超えるとき、前記第２の個別データ識別情報をユーザにより予め設定された優先順位に基づいて低優先順位の情報から削除して前記全使用パート数を前記一定使用パート数以下に収めるステップと、
を備える記憶媒体のグループタイトル編集方法。
【０００９】
（２）前記第２の個別データ識別情報の優先順位は、グループタイトルおよび該グループタイトル以外の情報に分けて設定される上記（１）の記憶媒体のグループタイトル編集方法。
【００１０】
（３）前記第２の個別データ識別情報の優先順位は、グループタイトル、該グループタイトル以外の情報および前記記憶媒体のトラック番号の大小に基づき設定される上記（１）の記憶媒体のグループタイトル編集方法。
【００１１】
（４）前記記憶媒体はＭＤであり、前記個別データ識別情報はＵＴＯＣデータである上記（１）、（２）又は（３）の記録媒体のグループタイトル編集方法。
【００１５】
【発明の実施の形態】
次に、本発明による記憶媒体のグループタイトル編集方法の好適実施形態を詳細に説明する。尚、以下ではＭＤシステムへの適用例について説明しているが、本発明はＭＤシステムに限らず、他の任意の記憶媒体を使用した同様なシステムについても適用できることは勿論である。
【００１６】
本発明の実施形態としてＭＤグループタイトル編集方法を挙げて説明するが、説明に先立ち、図１を参照して代表的なＭＤシステムの構成を説明する。このＭＤシステム１０は、ＭＤシステム部２０、ＭＤメカ（メカニカル又は機構）部３０、制御部（マイコン）４０、キー４３および表示部４４により構成される。
【００１７】
ＭＤシステム１０において、ＭＤシステム部２０は、サーボ制御部２１、ＡＴＲＡＣデコーダ２２、ＡＴＲＡＣエンコーダ２３、Ｄ／Ａ（デジタル・アナログ）変換器２４およびＡ／Ｄ（アナログ・デジタル）変換器２５を含んでいる。また、ＭＤメカ部３０は、ローディングメカ３１、レーザピックアップ３２およびスピンドルスレッドモータ３３を含んでいる。また、制御部（マイコン）４０は、処理部に加えてＲＡＭ（ランダムアクセスメモリ）４１およびＲＯＭ（読み出し専用メモリ）４２を含んでいる。
【００１８】
ＭＤメカ部３０のローディングメカ３１は、音楽等の情報を録音又は再生するためにディスク（ＭＤ）をローディング（又は実装）する部分である。スピンドルスレッドモータ３３は、ローディングされたＭＤを所定速度で回転する。レーザピックアップ３２は、ローディングメカ３１によりローディングされたＭＤから音楽情報の録音又は再生を行う。
【００１９】
ＭＤシステム部２０のサーボ制御部２１は、ＭＤメカ部３０のサーボ制御を行う。Ａ／Ｄ変換器２５は、音声データ（アナログ）入力信号を対応するデジタル変換する。ＡＴＲＡＣエンコーダ２３は、Ａ／Ｄ変換器２５からのデジタル音声データを圧縮処理符号化してＭＤメカ部３０にローディングされたＭＤに記録する。一方、ＡＴＲＡＣデコーダ２２は、ＭＤメカ部３０のレーザピックアップ３２により再生された音声信号データを復号する。Ｄ／Ａ変換器２４は、ＡＴＲＡＣデコーダ２２からのデジタル信号を、アナログ信号に変換して音声データ信号として出力する。
【００２０】
制御部（マイコン）４０には、ＭＤシステム部２０からＵＴＯＣデータ等のデータが入力され、ＭＤシステム部２０へ制御信号を出力する。ＲＯＭ４２は、制御プログラム等が格納されている。ＲＡＭ４１には、後述する如く、ＭＤから読み取られたタイトルデータ等を格納する。また、ユーザが操作するキー４３からのキー入力が制御部（マイコン）４０に入力され、ＭＤシステムの各種制御を可能にする。表示部４４は、ユーザが操作したキー入力を表示すると共に、これに対する制御部（マイコン）４０からの指示、応答等を表示する。このキー４３および表示部４４によりユーザは、後述する如くＭＤシステムの編集等を可能にする。尚、キー４３は、ＭＤシステム本体の操作パネルに設けてもよく又は別体のリモコンであってもよい。
【００２１】
次に、図２は、本発明による記憶装置のグループタイトル編集方法の説明図であり、ＭＤ読み出し（リーディング）直後におけるＭＤグループタイトルデータの流れを示す図である。即ち、ディスク（ＭＤ）を読み出して、タイトルデータを図１に示すマイコン４０のＲＡＭ４１上に展開したものである。図１に示す如く、ＭＤのタイトルデータエリアに記録されているデータを読み出し、これを図２中の上方（Ａ）に示す。次に、この読み出されたデータから図２中の中央（Ｂ）のタイトルデータエリアに示す「ディスクトラックタイトルのデータ」と、図２中の下部（Ｃ）のグループデータエリアに示す「グループタイトルデータ」とを、それぞれ分けて取り込む。尚、ＭＤグループタイトルは、ＭＤタイトルのエリアに制御コード「／／」等を使用して実現している。
【００２２】
図２の例では、図２（Ｂ）に示す如く、ディスクタイトル使用バイト数が２８（ディスクタイトル使用パート数が４）およびトラックタイトル使用パート数が２３２である。また、図２（Ｃ）のグループデータエリアでは、グループデータ使用バイト数が９０であるので、グループ使用パート数（最大）が１３である。従って、タイトルデータ格納エリアであるＵＴＯＣ１（又は４）の現在のＵＴＯＣ使用全パート数は、タイトルデータエリアのディスク使用パート数４と、トラックタイトル使用パート数２３２と、グループデータエリアのグループデータ使用パート数（最大）１３の合計２４９（＝４＋２３２＋１３）である。これは、最大使用可能パート数２５６に対して７パートの余裕しかなく、殆ど一杯（フル）状態である。
【００２３】
次に、図３は、タイトル編集時におけるＭＤグループタイトルデータの流れを示す。この例では、ＭＤに３トラック追加録音を行い、そのトラックにタイトルを付けた場合を示す。ここで、各追加されたトラックのタイトル使用パート数は、それぞれ４であり、３トラックの使用パート数は合計１２（＝４×３）である。上述の如く、ＭＤのタイトルデータ格納エリアであるＵＴＯＣ１（又は４）は、最大で２５６パート（１パート＝７バイト）しかないため、新たに追加した３トラックの全タイトルは、入りきらないこととなる。
【００２４】
ここで、「ディスクトラックタイトルのデータ」の方が「グループタイトルデータ」よりも強い（優先順位が高い）ため、自動的に「グループタイトルデータ」を削除して、「ディスクトラックタイトルのデータ」が入るようになる。このとき、グループデータのうちＴＮＯ（トラック番号）の大きい方からその中身のグループ名データ（グループ判別用のＴＮＯデータ／／ｘｘ-ｘｘ；は残す）を削除していき、全パート数が２５６以下になるようにする。さらに、グループ名データがなくなると、グループ判別用のＴＮＯデータ／／ｘｘ-ｘｘ；を削除する。
【００２５】
即ち、図２（Ｃ）および図３（Ｃ）を対比すれば明らかな如く、／／６−８；／／９−１３；／／１４−１７；／／１８−２７；のみを残し、例えば／／６−８；後の「Ａｉｋｏ」、／／９−１３；後の「ＵＴＡＤＡ ＨＩＫＡＲＵ」等のグループ名データを削除している。その結果、図３（Ｃ）のグループデータエリアのグループデータ使用パート数（最大）は、８となる。従って、この場合のＵＴＯＣ使用全パート数は、２５６（＝４＋２３２＋１２＋８）となり、最大値内に収めることが可能である。
【００２６】
また、トラック編集等で、トラックの並びが変わると、グループ分けも変わらなければならない。このときも、ディスクのタイトルエリア（ＵＴＯＣ１又は４）が一杯になってしまうことがある。この場合においても、上述したアルゴリズムに従ってグループ名データを削除する。また、グループ名データの削除でも入りきらない場合には、グループ判別用のＴＮＯデータ／／ｘｘ-ｘｘ；を削除することにより、使用可能パート数（例えば２５６パート）に収める。
【００２７】
この状態を、図４を参照して説明する。図４（Ａ）に示す如くタイトルデータエリアは、トラック００１〜０３０にディスクタイトル使用パート数が４で、トラックタイトル使用パート数が２４４である。また、グループデータエリアは、図４（Ｂ）に示す如く、図３（Ｃ）と同様に、グループデータ使用パート数（最大）は８である。従って、現在のＵＴＯＣ使用全パート数は、２５６（＝４＋２４４＋８）である。
【００２８】
ここで、トラック０１８〜０２７の１０トラックを先頭トラック、即ちトラック００１〜０１０へ移動する編集を行うと、タイトルデータエリアは、図４（Ｃ）の如く、ディスクタイトル使用パート数が４、トラック使用パート数が２４４である。また、グループデータエリアは、図４（Ｄ）に示す如く、グループデータ使用パート数（最大）が９となる。従って、現在のＵＴＯＣ使用全パート数は、２５７（＝４＋２４４＋９）となり、使用可能パート数を１パートオーバーする。
【００２９】
そこで、グループデータのうち、ＴＮＯの大きい方からその中身のグループ名データ（グループ判別用のＴＮＯデータ／／ｘｘ-ｘｘ;は残す）を削除していき、全使用パート数が２５６以下となるようにする。その結果、削除処理されたグループデータエリアを、図４（Ｅ）に示す。即ち、図４（Ｄ）の／／１１−１５；の後のグループ名データ「＾ＭＯ−ＮＩｎＧＵ ＭＵＳＵＭＥ＾」を削除して、グループデータエリアのグループデータ使用パート数（最大）を６パートにしている。その結果、現在のＵＴＯＣ使用全パート数は、２５４（＝４＋２４４＋６）となり、２５６以下に収められる。
【００３０】
以上、本発明による記憶装置のデータタイトル編集方法の好適実施形態を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。例えば、上述の実施形態では、データの優先順位を、ディスクトラックタイトルデータ＞グループ分けデータ＞グループ名データの如く固定していた。しかし、このデータの優先順位は、変更可能である。即ち、ユーザが優先順位をキー操作等により適宜選択可能にしてもよい。
【００３１】
【発明の効果】
以上の説明から理解される如く、本発明の記憶媒体のグループタイトル編集方法によると、次の如く実用上の顕著な効果が得られる。即ち、ＭＤシステムに適用した場合、ディスクのＵＴＯＣ上のデータに、ディスクトラックタイトルデータ＞グループ分けデータ＞グループ名データの如く優先順位を定め、全使用パート数が一定パート数（例えば、２５６パート）を超えると、優先順位の低いデータから順次削除して一定パート数以内に収めることができる。従って、重要なデータを可能な限り一定パート数以内に格納可能である。また、重要データは、ユーザにより異なるので、ユーザが優先順位を変更することが可能である。
【図面の簡単な説明】
【図１】本発明の実施形態による記憶媒体のグループタイトル編集方法が適用可能な代表的なＭＤシステムの構成を示すブロック図である。
【図２】本発明実施形態による記憶媒体のグループタイトルデータの流れを示す図である。
【図３】図２に示すディスクのタイトル編集動作を説明する図である。
【図４】ディスクのトラックを移動するＭＯＶＥ編集時の動作を説明する図である。
【符号の説明】
１０  ＭＤシステム
２０  ＭＤシステム部
３０  ＭＤメカ部
４０  制御部（マイコン）
４１  ＲＡＭ
４３  キー
４４  表示部
【図１】
0003870059.tif 000002
【図２】
0003870059.tif 000003
【図３】
0003870059.tif 000004
【図４】
0003870059.tif 000005